(57)【特許請求の範囲】
【請求項１】
硬度成分、シリカ及び鉄が共存する高温水系用のスケール防止剤であって、
質量平均分子量が１．０×１０３〜１．０×１０４である第１のポリアクリル酸ナトリウムと、
質量平均分子量が２．０×１０４〜７．０×１０４である第２のポリアクリル酸ナトリウムと、
を少なくとも含有するスケール防止剤。
【請求項２】
硬度成分、シリカ及び鉄が共存する高温水系に、少なくとも、
質量平均分子量が１．０×１０３〜１．０×１０４である第１のポリアクリル酸ナトリウムと、
質量平均分子量が２．０×１０４〜７．０×１０４である第２のポリアクリル酸ナトリウムと、
を添加するスケール防止方法。
【請求項３】
前記第１のポリアクリル酸ナトリウム及び前記第２のポリアクリル酸ナトリウムの添加濃度を、それぞれ１〜５００ｍｇ／Ｌとする請求項２に記載のスケール防止方法。
【発明の詳細な説明】
【技術分野】
【０００１】
本発明は、スケール防止剤及びスケール防止方法に関する。より詳しくは、ボイラや蒸気発生装置などの高温水系で用いられるスケール防止剤及びスケール防止方法に関する。
【背景技術】
【０００２】
近年、エネルギーコストを削減するため、系外にブローされる水の量を減らして、高濃度で運転する水系システムが増加している。このような水系システムでは、水中のカルシウム、マグネシウム、シリカ及び鉄などのスケール成分も高濃度となるため、これらの成分がスケール化して析出することにより、熱効率の低下や閉塞などを引き起こすことがある。
【０００３】
特に、ボイラ水系では、ボイラ缶内に持ち込まれたスケール成分は、熱負荷の高い伝熱面でスケール化して付着するため、鋼材の過熱による膨張、湾曲、破裂や熱効率の低下を引き起こす原因となる。また、伝熱面へのスケールの付着は、伝熱阻害を引き起こし、エネルギーロスが生じるため、燃料費の増加にもつながる。
【０００４】
このため、ボイラ水系などの高温水系システムでは、スケールの付着を防止するために、原水中の硬度成分であるカルシウムやマグネシウムを軟水器によって取り除き、軟水化したものを給水としている。また、スケール防止剤を添加することにより、缶内に持ち込まれたスケール成分の系内への付着を抑制すると共に、ブローによってこれらの成分を系外に排出する水処理方法も行われている。
【０００５】
ここで、「スケール防止剤」とは、水系システムに持ち込まれたスケール成分の析出を抑制するものであり、従来、リン酸三ナトリウムやトリポリリン酸ナトリウムなどのリン酸塩、又はポリアクリル酸塩などの高分子化合物が使用されている。
【０００６】
例えば、ボイラ水系においては、タンニン類、リグニン類及び糖類のうち少なくとも１種の天然物系腐食抑制剤と共に、スケール防止剤として、ホスホン酸又はその塩と、不飽和カルボン酸重合体を添加するボイラ水の処理方法が提案されている（特許文献１参照）。この特許文献１に記載の処理方法では、３種類の薬剤を併用することにより、炭酸カルシウム系、リン酸カルシウム系及び水酸化鉄系のスケールを防止している。
【０００７】
また、特に炭酸カルシウム系のスケールの付着を抑制する目的で、マレイン酸、無水マレイン酸、フタル酸及びイタコン酸のうち１種以上のモノマーと、それ以外の水溶性モノマーを水溶液重合して得られ、数平均分子量が４００〜１０００の共重合体又はその塩を含有するスケール防止剤も提案されている（特許文献２参照）。
【０００８】
更に、蒸気発生設備用として、分子量が２００００〜７００００のポリアクリル酸塩を少なくとも含有するスケール防止剤が提案されている（特許文献３参照）。この特許文献３に記載のスケール防止剤は、カルシウム及びマグネシウムなどの硬度成分やシリカに優れた効果を示すため、高濃度運転が可能となり、エネルギーコストを削減することができる。
【０００９】
一方、スプレーノズルの腐食及び閉塞を防止するため、熱間圧延工程用の直接冷却水系に、塩素剤と共にスケール防止剤を添加する処理方法が提案されている（特許文献４参照）。この特許文献４に記載の処理方法では、スケール防止剤として、有機ホスホン酸、有機ホスフィン酸系化合物又は分子量約１０００〜１００００の水溶性アクリル酸系共重合体を使用している。
【先行技術文献】
【特許文献】
【００１０】
【特許文献１】特開平６−１０８２７４号公報
【特許文献２】特開２００１−２５２６９２号公報
【特許文献３】特開２０１０−１７２８１６号公報
【特許文献４】特開平８−１５５５２９号公報
【発明の概要】
【発明が解決しようとする課題】
【００１１】
しかしながら、前述した従来の技術には、以下に示す問題がある。即ち、単独成分で構成されている従来のスケール防止剤は、硬度成分、シリカ及び鉄のいずれかのスケール成分に対する効果が劣るという問題点がある。例えば、ポリアクリル酸塩の場合、特許文献１の比較例に示されているように、単独で使用すると、硬度成分やシリカに由来するスケールに比べて、水酸化鉄などの鉄系スケールの防止効果が低い。
【００１２】
このように、スケール防止剤の効果が低い成分が水系に含まれていると、その効果が低い成分がスケール化してしまうだけでなく、スケール化する際にその他の成分も巻き込むため、その他の成分に対する効果も低下させることとなる。この問題を解決する方法としては、特許文献１に記載の方法のように、効果が異なる複数の薬剤を併用することが考えられるが、例えばタンニン、リグニン又は糖類を併用した場合、ボイラ水が着色するという問題点がある。ボイラ水の着色は、排水時に問題になったり、キャリーオーバーすることによって蒸気ドレンが着色し、これにより蒸気加熱対象も着色して品質が低下したりする。
【００１３】
そこで、本発明は、硬度成分、シリカ及び鉄の全てのスケール成分に対して析出抑制効果が高く、従来よりもスケール防止効果が優れたスケール防止剤及びスケール防止方法を提供することを主目的とする。
【課題を解決するための手段】
【００１４】
本発明者は、前述した課題を解決するために、鋭意実験研究を行った結果、カルボキシル基を含有する高分子化合物は、分子量によってその性能が異なり、特に比較的低分子量のものは、鉄の分散性に優れることを見出し、本発明に至った。
【００１５】
即ち、本発明に係るスケール防止剤は、硬度成分、シリカ及び鉄が共存する高温水系用のスケール防止剤であって、質量平均分子量が１．０×１０３〜１．０×１０４である第１のポリアクリル酸ナトリウムと、質量平均分子量が２．０×１０４〜７．０×１０４である第２のポリアクリル酸ナトリウムと、を少なくとも含有するものである。
ここで、「高温水系」とは、ボイラ、温水ボイラ、蒸気発生装置及び冷却水系などのように、系内の水温が４０〜２５０℃の高温となる水系である。
本発明においては、第１のポリアクリル酸ナトリウムによって、特に、鉄の分散性が向上し、第２のポリアクリル酸ナトリウムにより、特に、硬度成分及びシリカの分散性が向上する。このように、全てのスケール成分を、優劣なく分散することにより、スケール防止効果が低い成分が、他の成分を巻き込んでスケール化することも防止できる。その結果、水系中に、硬度成分、シリカ及び鉄が共存する場合でも、高いスケール防止効果が得られる。
【００１６】
本発明に係るスケール防止方法は、硬度成分、シリカ及び鉄が共存する高温水系に、少なくとも、質量平均分子量が１．０×１０３〜１．０×１０４である第１のポリアクリル酸ナトリウムと、質量平均分子量が２．０×１０４〜７．０×１０４である第２のポリアクリル酸ナトリウムと、を添加する。
このスケール防止方法では、前記第１のポリアクリル酸ナトリウム及び前記第２のポリアクリル酸ナトリウムの添加濃度を、それぞれ１〜５００ｍｇ／Ｌとすることができる。
【発明の効果】
【００１７】
本発明によれば、低分子量のカルボキシル基含有高分子化合物と、高分子量のカルボキシル基含有高分子化合物を併用しているため、水系中に、硬度成分、シリカ及び鉄が共存する場合でも、優れたスケール防止効果が得られる。
【発明を実施するための形態】
【００１８】
以下、本発明を実施するための形態について、詳細に説明する。なお、本発明は、以下に説明する実施形態に限定されるものではない。
【００１９】
（第１の実施形態）
先ず、本発明の第１の実施形態に係るスケール防止剤について説明する。本実施形態のスケール防止剤は、ボイラや蒸気発生装置などの高温水系において、スケールの発生を防止するものであり、少なくとも、分子量が異なる２種類のカルボキシル基含有高分子化合物を含有している。
【００２０】
［高分子量ポリマー成分（Ｍｗ：２．０×１０４〜７．０×１０４）］
本実施形態のスケール防止剤に含有される２種類のカルボキシル基含有高分子化合物のうち、「高分子量ポリマー成分」は、質量平均分子量（Ｍｗ）が２．０×１０４〜７．０×１０４のカルボキシル基含有高分子化合物である。分子量がこの範囲のカルボキシル基含有高分子化合物は、カルシウム及びマグネシウムなどの硬度成分やシリカの分散性に優れ、これらがスケール化することを防止する効果がある。
【００２１】
ただし、この高分子量ポリマー成分は、硬度成分やシリカに比べて鉄の分散性が低いため、鉄を多く含む水系に単独で使用すると、十分なスケール防止効果が得られない。更に、鉄がスケール化する際に、他の成分も巻き込むため、系全体のスケール防止効果が低下することもある。
【００２２】
また、高分子量ポリマー成分として、質量平均分子量（Ｍｗ）が２．０×１０４未満又は７．０×１０４を超えるカルボキシル基含有高分子化合物を使用すると、硬度成分やシリカの分散性が低下するため、十分なスケール防止効果が得られなくなる。更に、質量平均分子量（Ｍｗ）が７．０×１０４を超えるカルボキシル基含有高分子化合物は、冷却水系などの低温の条件で使用すると、ゲル化によりスケール分散効果が低下することもある。
【００２３】
一方、高分子量ポリマー成分として使用するカルボキシル基含有高分子化合物としては、例えば、アクリル酸若しくはその塩、メタクリル酸若しくはその塩、イタコン酸若しくはその塩、マレイン酸若しくはその塩、フマル酸若しくはその塩を、モノマー単位とするポリマー又はコポリマーなどが挙げられる。これらのカルボキシル基含有高分子化合物の中でも、硬度成分及びシリカの分散性の観点から、ポリアクリル酸塩を使用することが好ましく、特に、ポリアクリル酸ナトリウムを使用すると、より高いスケール防止効果が得られる。
【００２４】
［低分子量ポリマー成分（Ｍｗ：１．０×１０３〜１．０×１０４）］
一方、「低分子量ポリマー成分」は、質量平均分子量（Ｍｗ）が１．０×１０３〜１．０×１０４のカルボキシル基含有高分子化合物である。分子量がこの範囲のカルボキシル基含有高分子化合物は、鉄の分散性に優れ、鉄スケールの発生を抑制する効果がある。
【００２５】
ただし、この低分子量ポリマー成分は、硬度成分やシリカの分散性が低いため、単独で使用すると、これらのスケール化を十分に抑制することができないため、硬度成分やシリカが、鉄を巻き込んでスケール化してしまう。
【００２６】
また、低分子量ポリマー成分として、質量平均分子量（Ｍｗ）が１．０×１０４を超えるカルボキシル基含有高分子化合物を使用すると、鉄の分散効果が十分に得られない。更に、蒸気発生設備内は高温・高圧の条件となるため、熱分解によりポリマーの分子量が低下することがある。このため、低分子量ポリマー成分に質量平均分子量（Ｍｗ）が１．０×１０３未満のカルボキシル基含有高分子化合物を使用すると、その分子量低下により鉄の分散性が低下し、鉄スケール抑制効果が不十分となる。
【００２７】
一方、低分子量ポリマー成分として使用するカルボキシル基含有高分子化合物としては、例えば、アクリル酸若しくはその塩、メタクリル酸若しくはその塩、イタコン酸若しくはその塩、マレイン酸若しくはその塩、フマル酸若しくはその塩を、モノマー単位とするポリマー又はコポリマーなどが挙げられる。これらのカルボキシル基含有高分子化合物の中でも、鉄分散性の観点から、ポリアクリル酸塩を使用することが好ましく、特に、ポリアクリル酸ナトリウムを使用すると、より高いスケール防止効果が得られる。
【００２８】
［その他の成分］
本実施形態のスケール防止剤は、前述した各成分に加えて、アルカリ剤、脱酸素剤及び防食剤などを配合することもできる。
【００２９】
アルカリ剤は、給水系の腐食防止や給水系のスライム抑制の効果がある。本実施形態のスケール防止剤に配合されるアルカリ剤の種類は、特に限定されるものではなく、水系処理に用いることが可能なアルカリを１種又は２種以上適宜選択して使用することができる。具体的には、水酸化ナトリウム、水酸化カリウム、炭酸ナトリウム、炭酸水素ナトリウムなどが挙げられ、この中でも、給水配管の腐食防止及び給水系のスライム抑制の観点から、水酸化ナトリウム及び水酸化カリウムなどの苛性アルカリが好適である。
【００３０】
また、脱酸素剤は、水系中の溶存酸素を低減し、カルボン酸含有高分子化合物の経時的な分解を抑制する効果がある。本実施形態のスケール防止剤に配合される脱酸素剤の種類は、特に限定されるものではなく、水系中の溶存酸素を低減する作用を有するものであればよく、１種又は２種以上を適宜選択して使用することができる。
【００３１】
具体的には、ヒドラジン、亜硫酸又はその塩、重亜硫酸又はその塩、タンニン系物質、タンニンとアルカリを配合して生成する没食子酸等の多価フェノール類、糖類や糖とアルカリの反応物、グルコン酸又はその塩やαグルコヘプトン酸又はその塩などの糖のアルドン酸又はその塩、エリソルビン酸又はその塩、アスコルビン酸又はその塩、１−アミノピロリジンや１−アミノ−４−メチルピペラジンなどのＮ−置換アミノ基を有する複素環化合物、ジエチルヒドロキシルアミンやイソプロピルヒドロキシルアミンなどのヒドロキシアミン類及びカルボヒドラジドなどが挙げられる。
【００３２】
これらの脱酸素剤の中でも、安全性が高く、缶水への着色が少なく、かつポリアクリル酸塩の分解抑制効果が高いエリソルビン酸又はその塩、アスコルビン酸又はその塩が好適である。
【００３３】
防食剤は、給水系及び高温水系の腐食を防止する目的で添加される。本実施形態のスケール防止剤に配合される防食剤の種類は、特に限定されるものではなく、給水系及び高温水系において腐食防止効果が得られるものであればよく、１種又は２種以上を適宜選択して使用することができる。
【００３４】
具体的には、クエン酸、コハク酸、酒石酸、リンゴ酸及びアルドン酸などの有機酸又はその塩を使用することができる。ここで、アルドン酸塩には、アルドースのアルデヒド基だけが酸化されて生成するヒドロキシモノカルボン酸塩の全てを含み、例えば、グルコン酸、α−グルコヘプトン酸、マンノン酸、マンノヘプトン酸、ガラクトン酸及びガラクトヘプトン酸のナトリウム塩、カリウム塩、アミン塩又はアンモニウム塩などが挙げられる。また、これらの防食剤の中でも、腐食防止効果の観点から、クエン酸、コハク酸、グルコン酸、α−グルコヘプトン酸又はその塩が好ましい。
【００３５】
以上詳述したように、本実施形態のスケール防止剤は、硬度成分及びシリカの分散性が特に優れている質量平均分子量（Ｍｗ）が２．０×１０４〜７．０×１０４のカルボキシル基含有高分子化合物（高分子量ポリマー成分）と、鉄の分散性が特に優れている質量平均分子量（Ｍｗ）が１．０×１０３〜１．０×１０４のカルボキシル基含有高分子化合物（低分子量ポリマー成分）を併用しているため、全てのスケール成分に対して、優れたスケール防止効果が得られる。
【００３６】
これにより、スケール防止効果が低い成分が、他の成分を巻き込んでスケール化することを防止できるため、水系中に、硬度成分、シリカ及び鉄が共存する場合でも、高いスケール防止効果が得られる。本実施形態のスケール防止剤は、特に、これらスケール成分が高濃度で存在している高温水系に有効である。
【００３７】
そして、本実施形態のスケール防止剤は、伝熱面を清浄に保つことによる設備保全だけでなく、スケール成分が高濃度の水系でも良好に作用するため、ブロー量を減らした高濃縮運転や鉄を含むドレンを回収することによる熱エネルギーの回収が可能となり、エネルギーコストを削減することもできる。更に、本実施形態のスケール防止剤は、タンニン、リグニン及び糖類などと併用しない限り、ボイラ水が着色による問題も生じない。
【００３８】
（第２の実施形態）
次に、本発明の第２の実施形態に係るスケール防止方法について説明する。本実施形態のスケール防止方法は、前述した第１の実施形態のスケール防止剤を使用して、高温水系のスケールを防止するものである。そして、処理対象の水系に、少なくとも、質量平均分子量（Ｍｗ）が２．０×１０４〜７．０×１０４のカルボキシル基含有高分子化合物（高分子量ポリマー成分）と、質量平均分子量（Ｍｗ）が１．０×１０３〜１．０×１０４のカルボキシル基含有高分子化＋合物（低分子量ポリマー成分）とを添加する。
【００３９】
［高分子量ポリマー成分添加量］
高分子量ポリマー成分の添加量は、処理対象の水系に含まれるスケール成分、特に、硬度成分及びシリカの濃度に応じて、適宜設定することができるが、例えば、１〜５００ｍｇ／Ｌとすることが望ましい。なお、高分子量ポリマー成分の添加量が１ｍｇ／Ｌ未満の場合は、スケール防止効果が不足することがあり、また、５００ｍｇ／Ｌを超えて添加すると、経済性が劣る他、高温水系が泡立ちやすくなることがあり、キャリーオーバーの発生が懸念されることがある。
【００４０】
［低分子量ポリマー成分添加量］
一方、低分子量ポリマー成分の添加量は、処理対象の水系に含まれるスケール成分、特に、鉄の濃度に応じて、適宜設定することができるが、１〜５００ｍｇ／Ｌとすることが望ましい。なお、低分子量ポリマー成分の添加量が１ｍｇ／Ｌ未満の場合は、スケール防止効果が不足することがあり、また、５００ｍｇ／Ｌを超えて添加すると、経済性が劣る他、高温水系が泡立ちやすくなることがあり、キャリーオーバーの発生が懸念されることがある。
【００４１】
なお、これら高分子量ポリマー成分及び低分子量ポリマー成分は、予め混合されているものを使用することもできるが、それぞれ個別に水系に添加してもよい。また、その添加位置は、特に限定されるものではなく、例えば、給水タンク、補給水、復水若しくはこれらが混合した給水ラインなどに添加したり、又は、ボイラ缶内に直接添加したりすることが可能である。
【００４２】
一方、高分子量ポリマー成分及び低分子量ポリマー成分と共に、アルカリ剤を添加する場合、その添加量は、特に限定されるものではなく、給水の水質、併用する清缶剤などの水処理薬剤からのアルカリ発生量、ポリアクリル酸塩濃度とのバランスなどに応じて適宜設定することができる。
【００４３】
同様に、脱酸素剤を添加する場合も、その添加量は、特に限定されるものではなく、水系に添加されるカルボキシル基含有高分子化合物の濃度などに応じて、適宜設定することができる。なお、本実施形態のスケール防止方法においては、特に、給水中の溶存酸素濃度に応じて脱酸素剤を添加し、ボイラや蒸気発生設備の缶水中に、脱酸素剤成分が残留するようにすることが好ましい。
【００４４】
また、防食剤を添加する場合も、その添加量は、特に限定されるものではなく、給水の水質や高温水系の濃縮倍数などに応じて、適宜設定することができる。
【００４５】
以上詳述したように、本実施形態のスケール防止方法は、質量平均分子量（Ｍｗ）が２．０×１０４〜７．０×１０４のカルボキシル基含有高分子化合物（高分子量ポリマー成分）と、質量平均分子量（Ｍｗ）が１．０×１０３〜１．０×１０４のカルボキシル基含有高分子化合物（低分子量ポリマー成分）を併用しているため、水系中に、硬度成分、シリカ及び鉄が共存する場合でも、優れたスケール防止効果が得られる。
【００４６】
なお、本実施形態のスケール防止方法における上記以外の構成及び効果は、前述した第１の実施形態と同様である。
【００４７】
また、本実施形態のスケール防止方法は、ボイラなどのスケール付着が起こる水系システムに適用可能であり、あらゆる給水種に適用することができる。更に、ボイラ水系に適用する場合は、ボイラの種類は特に限定されるものではなく、特殊循環ボイラ、水管ボイラ、丸ボイラ及び排熱回収ボイラなど、あらゆるボイラに適用することができる。
【実施例】
【００４８】
以下、本発明の実施例及び比較例を挙げて、本発明の効果について具体的に説明する。本実施例においては、本発明の範囲で調製した実施例１〜１０のスケール防止剤と、参考例Ｃ及びＤのスケール防止剤と、本発明の範囲から外れる比較例１〜９のスケール防止剤を使用して、ボイラ試験を行い、そのスケール防止効果を比較した。その際、スケール防止剤に使用した高分子化合物を下記表１に示す。
【００４９】
【表１】
0005699724.tif 000002
【００５０】
また、試験条件は、圧力：０．７ＭＰａ、蒸発量：８Ｌ／時間、試験時間：４８時間とし、ブロー量は濃縮倍率が１０倍又は２０倍となるように、適宜調整した。給水は、野木町水とその軟化水を混合し、Ｃａ硬度が１５ｍｇＣａＣＯ３／Ｌ、Ｍｇ硬度が７ｍｇＣａＣＯ３／Ｌ、シリカが２５ｍｇＳｉＯ２／Ｌ、Ｍアルカリ度が３０ｍｇＣａＣＯ３／Ｌ）となるように調整し、更に、鉄として水酸化鉄を３ｍｇＦｅ／Ｌとなるように加えた。
【００５１】
そして、ボイラの給水ラインに、実施例及び比較例の各スケール防止剤を、所定量添加し、ボイラを４８時間運転した後、伝熱チューブ（ステンレス製、表面積２００ｃｍ２を３本）を取りだした。次に、付着したスケールを掻き取って、スケール付着量を測定し、給水から持ち込まれたスケール成分（硬度成分、シリカ、鉄）の総量と、測定したスケール付着量から、スケール排出率（％）を求めた。その結果を、下記表２にまとめて示す。
【００５２】
【表２】
0005699724.tif 000003
【００５３】
上記表２に示すように、質量平均分子量が１．０×１０３〜１．０×１０４のポリアクリル酸ナトリウムと、質量平均分子量が２．０×１０４〜７．０×１０４のポリアクリル酸ナトリウムとを併用した実施例１〜１０のスケール防止剤は、これらを単独で使用した比較例１〜３，５〜７，９のスケール防止剤、及び分子量が本発明の範囲から外れるポリアクリル酸ナトリウムを使用した比較例４，８のスケール防止剤に比べて、硬度成分、シリカ及び鉄が共存するボイラ水系において、これらスケール成分を効果的に排出できた。
【００５４】
これにより、実施例１〜１０のスケール防止剤は、比較例１〜９のスケール防止剤よりも、スケール防止効果が優れていることが確認された。また、実施例１０及び比較例９に示されるように、本発明のスケール防止剤は、ブロー量を減らした高濃縮運転においても、従来のスケール防止剤に比べて、優れたスケール防止効果が得られることが確認された。
【００５５】
次に、本発明の参考例として、構造又は分子量が異なる高分子化合物を使用して、鉄の分散効果を評価した。その際、試験液には、高温水系の水質を模擬し、ｐＨ：１１．８、塩化物イオン：３００ｍｇ／Ｌ、硫酸イオン：３００ｍｇ／Ｌ、水酸化鉄：２０ｍｇＦｅ／Ｌに調整したものを使用した。この試験液：１．０Ｌに、下記表３に示す評価素剤（高分子化合物）を所定量添加し、オートクレーブ（容量１．５Ｌ）にて、圧力１．０ＭＰａで、２０時間処理した。加熱後に、サンプルをよく撹拌し、１００ｍＬ比色管に移し、２４時間静置した後、上澄みを採取した。そして、加熱終了後と、２４時間静置後の吸光度（６５０ｎｍ）から、鉄の分散率を求めた。その結果を、下記表４にまとめて示す。
【００５６】
【表３】
0005699724.tif 000004
【００５７】
【表４】
0005699724.tif 000005
【００５８】
上記表４に示すように、質量平均分子量が１．０×１０３〜１．０×１０４のカルボキシル基含有高分子化合物は、それよりも分子量が大きいカルボキシル基含有高分子化合物よりも、水酸化鉄の分散効果が優れていることが確認された。その中でも、特に、質量平均分子量が１．０×１０３〜１．０×１０４のポリアクリル酸塩が、鉄分散性に優れていた。